(57)【要約】【課題】照明制御システムにおいて、複数のカラー照明器具を利用する際に、色を楽しむ感性的観点と、視作業のしやすさを含む質的観点とから優れた空間を提供することである。【解決手段】照明制御システムは、少なくとも互いに離間した複数のフルカラー照明器具であって、それぞれのフルカラー照明器具が３色以上の光源を含んでいるフルカラー照明器具と、複数のフルカラー照明器具の少なくとも出力を制御する制御部とを含む。制御部は、複数のフルカラー照明器具の出力強弱比を変動させることにより、空間の一部の領域を白色化する。【選択図】図２
2019079749.tif 000002
【特許請求の範囲】
【請求項１】
少なくとも互いに離間した複数のフルカラー光源であって、それぞれのフルカラー光源が３色以上の光源を含んでいるフルカラー光源と、
前記複数のフルカラー光源の少なくとも出力を制御する制御部と、を備え、
前記制御部は、前記複数のフルカラー光源の出力強弱比を変動させることにより、空間の一部領域を白色化する、照明制御システム。
【請求項２】
請求項１に記載の照明制御システムにおいて、
前記制御部により白色化する領域は予め定められた領域である、照明制御システム。
【請求項３】
請求項１に記載の照明制御システムにおいて、
前記制御部により白色化する領域が選択可能である、照明制御システム。
【請求項４】
請求項１に記載の照明制御システムにおいて、
ユーザーの操作に応じて前記制御部に白色化する白色照射指示領域を入力する入力部を備え、
前記入力部は、ユーザーの操作に応じて前記白色照射指示領域に加えて少なくとも１つの前記フルカラー光源の色を入力可能であり、
前記制御部は、前記フルカラー光源の色を、前記入力部により入力された色に調色するとともに、前記入力部により入力された色と前記白色照射指示領域とに基づき、前記フルカラー光源の他の色を決定する、照明制御システム。
【請求項５】
請求項１〜４のいずれか１項に記載の照明制御システムにおいて、
少なくとも黒体軌跡上に存在する色に基づき白色照射領域の色を指定可能である、照明制御システム。
【請求項６】
請求項５に記載の照明制御システムにおいて、
白色照射領域の色は、予め定められた所定照射領域に存在する主照明の色温度に基づいて自動で指定される、照明制御システム。
【請求項７】
請求項１に記載の照明制御システムにおいて、
ユーザーの操作に応じて前記制御部に白色化する白色照射指示領域を入力する入力部を備え、
前記制御部は、前記入力部による入力に基づいて前記複数のフルカラー光源の出力強弱比を変動させ、前記入力部により入力された前記白色照射指示領域を白色化する、照明制御システム。
【請求項８】
請求項１に記載の照明制御システムにおいて、
ユーザーの操作に応じて前記制御部に白色化する白色照射指示領域を入力する入力部と、
前記入力部が有する、または前記入力部に接続された表示部と、を備え、
前記表示部は、照射領域における見取り図と、前記白色照射指示領域とを表示可能である、照明制御システム。
【請求項９】
請求項８に記載の照明制御システムにおいて、
前記複数のフルカラー光源は、２つの前記フルカラー光源であり、
前記表示部は、前記白色照射指示領域に対する選択可能な複数の候補領域を帯状に表示可能である、照明制御システム。
【請求項１０】
請求項１〜９のいずれか１項に記載の照明制御システムを構成するために用いられる照明装置であって、
前記フルカラー光源を備える照明装置。
【発明の詳細な説明】
【技術分野】
【０００１】
本開示は、照明制御システム及び照明装置に関する。
【背景技術】
【０００２】
特許文献１には、光色の異なる２つの光源をそれぞれ調光することにより、色温度を可変とする照明システムにおいて、ＵＶ座標上での黒体軌跡から大きなずれを生じないように２つの光源の色度を選定した構成が記載されている。この構成によれば、良質な照明が得られるとされている。
【０００３】
特許文献２には、ＬＥＤ照明システムにおいて、発光色の異なる３種類の発光装置と制御ユニットとを備え、ｘｙ色度図における３色の発光装置の色度点を黒体軌跡上での関係から設定することが記載されている。
【先行技術文献】
【特許文献】
【０００４】
【特許文献１】特開平５−２０５８８１号公報
【特許文献２】特開２００９−２２４０７４号公報
【発明の概要】
【発明が解決しようとする課題】
【０００５】
特許文献１及び特許文献２に記載された照明システムにおいて、ユーザーから、各種のカラー照明は視作業や日常生活に適さないとのコメントがあり、カラー照明単体での利用をしにくいという不都合がある。一方、カラー照明単体を用いて、ユーザーがその照明に照射された空間を楽しんで快適に過ごすことができるという利点もある。これにより、複数のカラー光源を利用する際に、色を楽しむ感性的観点と、視作業のしやすさを含む質的観点とから優れた空間を提供できる照明制御システム及び照明装置が望まれる。
【課題を解決するための手段】
【０００６】
本開示の一態様である照明制御システムは、少なくとも互いに離間した複数のフルカラー光源であって、それぞれのフルカラー光源が３色以上の光源を含んでいるフルカラー光源と、複数のフルカラー光源の少なくとも出力を制御する制御部と、を備え、制御部は、複数のフルカラー光源の出力強弱比を変動させることにより、空間の一部領域を白色化する、照明制御システムである。
【０００７】
本開示の一態様である照明装置は、本開示の一態様である照明制御システムを構成するために用いられる照明装置であって、上記のフルカラー光源を備える照明装置である。
【発明の効果】
【０００８】
本開示の一態様である照明制御システム及び照明装置によれば、複数のカラー光源を利用する際に、色を楽しむ感性的観点と、視作業のしやすさを含む質的観点とから優れた空間を提供できる。
【図面の簡単な説明】
【０００９】
【図１】実施形態の一例の照明制御システムの構成図である。
【図２】実施形態の一例の照明制御システムを適用する室内の平面図であって、２つのフルカラー光源により照射された色領域と白色照射領域との分布を示す図である。
【図３】実施形態の一例において、２つのフルカラー光源の発光色の色度及び出力を決定するために用いるｘｙ色度図である。
【図４Ａ】実施形態の一例において、２つのフルカラー光源の発光色の色度及び出力を決定する方法における第１処理を示すフローチャートである。
【図４Ｂ】実施形態の一例において、２つのフルカラー光源の発光色の色度及び出力を決定する方法における第２処理を示すフローチャートである。
【図４Ｃ】実施形態の一例において、２つのフルカラー光源の発光色の色度及び出力を決定する方法における第３処理を示すフローチャートである。
【図５】実施形態の一例の照明制御システムを適用する室内の別例の斜視図であって、２つのフルカラー光源により照射された色領域と白色照射領域との分布を示す図である。
【図６】実施形態の一例の照明制御システムを適用する室内の平面図であって、２つのフルカラー光源により照射された色領域と白色照射領域との分布の別例を示す図である。
【図７】実施形態の一例の照明制御システムを適用する室内の平面図であって、２つのフルカラー光源により照射された色領域と白色照射領域との分布の別例を示す図である。
【図８】実施形態の別例の照明制御システムを適用する室内の平面図であって、３つのフルカラー光源により照射された色領域と白色照射領域との分布を示す図である。
【図９】実施形態の別例において、３つのフルカラー光源の発光色の色度及び出力を決定するために用いるｘｙ色度図である。
【図１０Ａ】実施形態の別例において、３つのフルカラー光源の発光色の色度及び出力を決定する方法における第１処理を示すフローチャートである。
【図１０Ｂ】実施形態の別例において、３つのフルカラー光源の発光色の色度及び出力を決定する方法における第２処理を示すフローチャートである。
【図１０Ｃ】実施形態の別例において、３つのフルカラー光源の発光色の色度及び出力を決定する方法における第３処理を示すフローチャートである。
【図１０Ｄ】実施形態の別例において、３つのフルカラー光源の発光色の色度及び出力を決定する方法における第４処理を示すフローチャートである。
【図１０Ｅ】実施形態の別例において、３つのフルカラー光源の発光色の色度及び出力を決定する方法における第５処理を示すフローチャートである。
【図１０Ｆ】実施形態の別例において、３つのフルカラー光源の発光色の色度及び出力を決定する方法における第６処理を示すフローチャートである。
【図１０Ｇ】実施形態の別例において、３つのフルカラー光源の発光色の色度及び出力を決定する方法における第７処理を示すフローチャートである。
【図１１】実施形態の別例の照明制御システムを適用する室内の平面図であって、２つのフルカラー光源がある場合における白色照射領域の複数の候補領域を示している図である。
【図１２】実施形態の別例の照明制御システムを適用する室内の平面図であって、２つのフルカラー光源がある場合における白色照射領域の調節可能な範囲を示している図である。
【図１３】実施形態の別例の照明制御システムを適用する室内の平面図であって、３つのフルカラー光源がある場合における白色照射領域の複数の候補領域を示している図である。
【発明を実施するための形態】
【００１０】
以下に、図面を参照しながら、本開示に係る照明制御システムの実施形態を詳細に説明する。以下において複数の実施形態や変形例などが含まれる場合、それらの特徴部分を適宜に組み合わせて用いることは当初から想定されている。以下で説明する形状、数値、個数は、説明のための例示であって、照明制御システムの仕様等に応じて適宜変更することができる。以下では、すべての図面について同様の要素には同一の符号を付して説明する。
【００１１】
図１は、実施形態の一例の照明制御システムの構成図である。照明制御システムは、主照明であるベースライト１０と、２つのフルカラー光源であるカラー照明器具１２，１３を含む照明装置１１と、入力部２０と、制御部である制御装置２２とを備える。ベースライト１０は、例えば室内の天井または壁に取り付けられる照明器具であり、例えば光源として白色で発光するＬＥＤを含む。ベースライトは、白色以外の色で発光する構成としてもよい。ベースライト１０のオンオフ状態は、後述の制御装置２２により制御される。ベースライト１０は、発光色を例えば２０００Ｋ〜６２００Ｋの色温度（電球色〜温白色〜昼白色〜昼光色）の範囲で変更可能に構成される。ベースライト１０の色温度は、入力部２０の入力にしたがって制御装置２２により制御される。なお、ベースライトの色温度は、予め一定の所定温度に設定され、入力部の入力に応じては変更されない構成としてもよい。
【００１２】
図２は、照明制御システムを適用する室内の平面図であって、２つのカラー照明器具１２，１３により照射された色領域と、白色照射領域３０との分布を示す図である。図２では、室内にローテーブル４０を挟んで両側に、テレビ台であるオーディオ機器ボード４２と、ソファ４４とが配置される。オーディオ機器ボード４２の上側にはテレビ４６が配置される。このような室内では、ソファ４４に座ったユーザーがローテーブル４０の上で作業を行う場合が多いので、ローテーブル４０のソファ４４に近い側の中央では照明により白色で照射されることが、視作業のしやすさからは好ましい。
【００１３】
一方、２つのカラー照明器具１２，１３が、オーディオ機器ボード４２の前側で左右方向に互いに離間して配置される。図２では、各カラー照明器具１２，１３を黒丸で示している。２つのカラー照明器具１２，１３は、固定部材１４に固定されることにより、照明装置１１を構成する。このとき、２つのカラー照明器具１２，１３の高さ方向における位置は、同じである。２つのカラー照明器具１２，１３のそれぞれは、３色以上の光源を含んでいる。例えば、各フルカラー照明器具１２，１３は、フルカラー発光を可能なＬＥＤ照明装置であり、それぞれ３種類の光源が搭載されたベース基板と、給電用の回路基板とを含む。３種類の光源はそれぞれ複数ずつでも１つずつでもよく、同じ種類の光源で電気的に直列接続される。各光源は、ＬＥＤチップを実装基板との間に囲む形でドーム状の色変換部材が配置される。３種類の光源に対応して、色変換部材は、例えば赤色、縁色、または青色に対応して、対応する色の光を放射する蛍光体を有する。このようなカラー照明器具１２，１３は、ＸＹＸ表色系のｘｙ色度図における各色の光源の色度点と光出力とから所望の色度の混色光を得ることができる。各カラー照明器具１２，１３の色度、及び出力は、制御装置２２により制御される。なお、各カラー照明器具１２，１３の色度を一定として、出力のみを制御装置２２により制御することもできる。
【００１４】
図２では、２つのカラー照明器具１２，１３でのそれぞれの照射領域は、上から見た状態でカラー照明器具１２，１３を中心とする円状に広がっている。図２の例では、２つのカラー照明器具１２，１３の一方のカラー照明器具１２の発光色は赤紫色であり、他方のカラー照明器具１３の発光色は黄色であり、図２の左右方向の中央で２つのカラー照明器具１２，１３の照射領域が交わっている。その照射領域の交わり部において、左右方向の中央部を含むように左右方向に対し直交する方向に伸びる帯状の白色照射領域３０が配置される。白色照射領域３０は、ローテーブル４０のソファ４４に近い側の中央部を含んでいる。
【００１５】
図１に戻って、入力部２０は、例えばユーザーにより操作されるスイッチ、ダイヤル等の操作部を含む。操作部は、液晶表示部を有するタッチパネルでもよい。ユーザーは、入力部２０を用いて、ベースライト１０の色温度を指示することができる。また、ユーザーは、入力部２０を用いて、一部光源色指示として、２つのカラー照明器具１２，１３の一方のカラー照明器具の出力及び色を指示することができる。入力部２０は、制御装置２２に接続されており、入力部２０により指示したベースライト１０の色温度、一方のカラー照明器具の出力及び色が制御装置２２に入力される。
【００１６】
制御装置２２は、入力部２０からの指示に応じて、２つのカラー照明器具１２，１３の出力強弱比を変動させるとともに、２つのカラー照明器具１２，１３の色度を決定することにより、空間の一部領域を白色化する。制御装置２２は、演算処理部と、演算処理部に接続されるメモリ等の記憶部と、Ｉ／Ｏインターフェース等を含んで構成される。制御装置２２は、記憶部に記憶されたプログラム、データ等を読み出して、所定の動作を実行する。制御装置２２がプログラムを実行することによって、本開示における装置、システム、または方法の主体の機能が実現される。制御装置２２は、プログラムに従って動作する演算処理部を主なハードウェア構成として備える。演算処理部は、プログラムを実行することによって機能を実現することができれば、その種類は問わない。演算処理部は、半導体集積回路（ＩＣ）、又はＬＳＩ（large scale integration）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。記憶部は、例えば演算処理部が読み取り可能なＲＯＭ等である。記憶部として、光ディスク、ハードディスクドライブなどの非一時的記録媒体が用いられてもよい。プログラムは、記録媒体に予め格納されていてもよいし、インターネット等を含む広域通信網を介して記録媒体に供給されてもよい。
【００１７】
さらに、制御装置２２は、光源出力変動部２３、光源色決定部２４、及び光源調色部２５を有する。光源出力変動部２３は、入力部２０からの入力に応じて、２つのカラー照明器具１２，１３のそれぞれの出力を決定することで、２つのカラー照明器具１２，１３の出力強弱比を決定する。光源出力変動部２３は、その出力強弱比に応じて２つのカラー照明器具１２，１３の出力強弱比を変動させる。光源色決定部２４は、入力部２０からの入力に応じて２つのカラー照明器具１２，１３のそれぞれの発光色を決定する。光源調色部２５は、決定された発光色で発光させるように各カラー照明器具１２，１３の調色を制御する。これにより、空間の一部が白色化された白色照射領域を形成できる。
【００１８】
次に、制御装置２２によって、２つのカラー照明器具１２，１３の色度及び出力を決定する方法を説明する。この決定のために、図３に示すｘｙ色度図が用いられる。具体的には、次の（１）〜（６）の処理が実行される。なお、図３において、２つのカラー照明器具１２，１３で表現できる色領域は、赤領域に位置する点Ｐｒ、緑領域に位置する点Ｐｇ、及び青領域に位置するＰｂを結ぶ三角形ＰｒＰｇＰｂの領域内である。
（１）２つのカラー照明器具１２，１３の距離と、一方のカラー照明器具である第１器具１２の色度及び出力とが入力部２０により制御装置２２に入力される。
（２）ｘｙ色度図において、第１器具１２のｘｙ座標Ｌ１とベースライト１０のｘｙ座標Ｂとを結ぶ直線の延長線上で、三角形ＰｒＰｇＰｂの領域にあるように、ｘｙ座標Ｌ２が、他方のカラー照明器具である第２器具１３のｘｙ座標として選択される。
（３）ｘｙ色度図において、色点間距離であるｘｙ座標Ｌ１とｘｙ座標Ｂとの距離Ｄ（Ｌ１Ｂ）と、ｘｙ座標Ｌ２とｘｙ座標Ｂとの距離Ｄ（Ｌ２Ｂ）とが算出される。
（４）第２器具１３の出力Ｐ２が、Ｄ（Ｌ１Ｂ）×Ｐ１＝Ｄ（Ｌ２Ｂ）×Ｐ２の関係から算出される。
（５）算出した出力Ｐ２が、予め設定された第２器具１３の最大出力ｍａｘＰ２以下の場合には出力Ｐ２が決定される。それ以外の場合には、出力Ｐ２を最大出力ｍａｘＰ２として第１器具１２の出力Ｐ１を再算出することで、第１器具１２及び第２器具１３の色及び出力が決定される。
【００１９】
以下、図４Ａ〜図４Ｃのフローチャートを用いて、２つのカラー照明器具１２，１３の色度及び出力を決定する方法をより具体的に説明する。図４Ａは、２つのカラー照明器具の発光色の色度及び出力を決定する方法における第１処理を示すフローチャートである。図４Ｂは、同じく第２処理を示すフローチャートであり、図４Ｃは、同じく第３処理を示すフローチャートである。以下の処理は制御装置２２により実行される。
【００２０】
図４ＡのステップＳ１１において、ベースライト１０がＯＮされたか否かが判定され、ＯＮされたと判定された場合（ステップＳ１１でＹＥＳの場合）には、ステップＳ１２に進む。ステップＳ１１でベースライト１０がＯＮされていないと判定された場合には、その判定処理が繰り返される。
【００２１】
ステップＳ１２において、ベースライト１０の色温度が設定されたか否かが判定される。このとき、色温度は、入力部２０により入力されるが、予め制御装置２２に記憶されていて設定されていてもよい。ベースライト１０の色温度が設定されたと判定された場合（ステップＳ１２でＹＥＳの場合）には、ステップＳ１３に進む。ステップＳ１２でベースライト１０の色温度が設定されていないと判定された場合には、その判定処理が繰り返される。
【００２２】
ステップＳ１３において、ベースライト１０の色温度からｘｙ色度図でのｘｙ座標Ｂ（Ｂｘ、Ｂｙ）が導出される。このとき、ベースライト１０のｘｙ座標Ｂは、黒体軌跡Ｌｂ上に位置する。これにより、ベースライト１０の色温度からベースライト１０のｘｙ座標Ｂが一義的に決定される。なお、ベースライト１０の色温度は、黒体軌跡Ｌｂから少しずれていてもよい。
【００２３】
次に、ステップＳ１４において、２つのカラー照明器具１２，１３がＯＮされたか否かが判定され、ＯＮされたと判定された場合（ステップＳ１４でＹＥＳの場合）には、ステップＳ１５に進む。ステップＳ１４でベースライト１０がＯＮされていないと判定された場合には、その判定処理が繰り返される。
【００２４】
ステップＳ１５において、カラーグラデーションの始点となる器具、すなわち、本方法により色度及び出力を最初に決定する予定の１つのカラー照明器具の選択が、入力部２０により入力されたか否かが判定される。１つのカラー照明器具の選択が入力されたと判定されると、その選択されたカラー照明器具は第１器具と設定され、他のカラー照明器具が第２器具と設定される（ステップＳ１６）。このとき、１つのカラー照明器具は、発光色が設定されることで、選択がされたとすることもできる。以下の説明では、一方のカラー照明器具１２を第１器具１２と記載し、他方のカラー照明器具１３を第２器具１３と記載する場合がある。なお、他方のカラー照明器具１３を第１器具と設定し、一方のカラー照明器具１２を第２器具と設定することもできる。ステップＳ１５で１つのカラー照明器具の選択が入力されていないと判定された場合には、その判定処理が繰り返される。
【００２５】
次に、図４ＢのステップＳ１９において、第１器具１２の色が入力部２０により入力されて設定されたか否かが判定される。第１器具１２の色が設定されたと判定された場合（ステップＳ１９でＹＥＳの場合）には、ステップＳ２０に進む。ステップＳ１９で第１器具１２の色が設定されていないと判定された場合には、その判定処理が繰り返される。
【００２６】
ステップＳ２０において、第１器具１２の入力された色から、第１器具１２の色のｘｙ色度図におけるｘｙ座標Ｌ１（Ｌ１ｘ、Ｌ１ｙ）が算出される。図３では、２つの器具１２，１３のうち、ｘｙ色度図において、黒体軌跡Ｌｂに対して点Ｐｒ、点Ｐｂを結ぶ直線ＰｒＰｂに近い側であって、赤紫の領域に近い座標を第１器具１２の座標Ｌ１としている。また、２つの器具１２，１３のうち、直線ＰｒＰｂから遠い側であって、黄色の領域にある座標を第２器具１３の座標Ｌ２としている。
【００２７】
次に、ステップＳ２１において、第１器具１２の出力Ｐ１が入力部２０により入力されて設定されたか否かが判定される。第１器具１２の出力Ｐ１が設定されたと判定された場合（ステップＳ２１でＹＥＳの場合）には、ステップＳ２４に進む。ステップＳ２１で第１器具１２の出力Ｐ１が設定されていないと判定された場合には、その判定処理が繰り返される。ここで、第１器具１２の出力Ｐ１及び後述の第２器具の出力Ｐ２は、それぞれＷ値、または光束ｌｍ等で表すことができる。
【００２８】
ステップＳ２４において、ｘｙ色度図において、第１器具１２のｘｙ座標Ｌ１とベースライト１０のｘｙ座標Ｂとを結ぶ直線Ｌ１Ｂの延長線上で、三角形ＰｒＰｇＰｂの領域にあるように、ｘｙ座標Ｌ２（Ｌ２ｘ、Ｌ２ｙ）が、第２器具のｘｙ座標として選択される。
【００２９】
ここで、もし直線Ｌ１Ｂの延長線上で、三角形ＰｒＰｇＰｂの領域外にｘｙ座標Ｌ２が位置する場合には、直線Ｌ１Ｂの延長線と三角形ＰｒＰｇＰｂとの交点のｘｙ座標Ｌ２を、第２器具のｘｙ座標として選択する。
【００３０】
次に、ステップＳ２５において、ｘｙ色度図において、色点間距離であるｘｙ座標Ｌ１とｘｙ座標Ｂとの距離Ｄ（Ｌ１Ｂ）、及び、ｘｙ座標Ｌ２とｘｙ座標Ｂとの距離Ｄ（Ｌ２Ｂ）が算出される。
【００３１】
次に、図４ＣのステップＳ２６において、第２器具１３の出力Ｐ２が、Ｄ（Ｌ１Ｂ）×Ｐ１＝Ｄ（Ｌ２Ｂ）×Ｐ２の関係から算出された後、ステップＳ２７に進む。
【００３２】
ステップＳ２７において、算出した出力Ｐ２が、予め設定された第２器具１３の最大出力ｍａｘＰ２より大きいか否かが判定される。出力Ｐ２が最大出力ｍａｘＰ２より大きいと判定された場合（ステップＳ２７でＹＥＳの場合）には、ステップＳ２８において、最大出力ｍａｘＰ２が出力Ｐ２として設定される。
【００３３】
そして、第１器具１２の出力Ｐ１が、Ｄ（Ｌ１Ｂ）×Ｐ１＝Ｄ（Ｌ２Ｂ）×Ｐ２の関係から再算出され、その後、ステップＳ３０において、その出力Ｐ１で第１器具１２の出力が調整され、ステップＳ３９に進む。ステップＳ２７において、出力Ｐ２が最大出力ｍａｘＰ２以下であると判定された場合（ステップＳ２７でＮＯの場合）には、そのままステップＳ３９に進む。これにより、第１器具１２の出力Ｐ１と第２器具１３の出力Ｐ２とが決定され、第１器具１２の出力Ｐ１及び第２器具１３の出力Ｐ２の強弱比Ｐ１／Ｐ２も決定される。光源出力変動部２３は、各器具１２，１３の出力Ｐ１、Ｐ２を、算出された出力に応じて変動させる。また、光源調色部２５は、各器具１２，１３の決定された色に応じて調色する。
【００３４】
ステップＳ３９において、第１器具１２及び第２器具１３の色のｘｙ座標Ｌ１，Ｌ２と、出力Ｐ１，Ｐ２と、ベースライト１０の色温度が制御装置２２の記憶部に記憶される。そして、ステップＳ４０で第１器具１２及び第２器具１３がＯＦＦされたと判定され、ステップＳ４１でベースライト１０がＯＦＦされたと判定された場合には処理が終了する。一方、それ以外の場合には、ステップＳ４０、ステップＳ４１でのそれぞれの判定処理が繰り返されるので、その状態が維持される。
【００３５】
なお、上記の図４Ａ〜図４Ｃで示した処理とは異なり、図４ＢのステップＳ２０の処理の後、第１器具１２の出力Ｐ１と、第２器具１３の出力Ｐ２とを仮で設定してもよい。その後、Ｄ（Ｌ１Ｂ）×Ｐ１＝Ｄ（Ｌ２Ｂ）×Ｐ２の関係から、ｘｙ座標Ｌ２とｘｙ座標Ｂとの距離Ｄ（Ｌ２Ｂ）を求めることができる。このとき、Ｄ（Ｌ２Ｂ）から第２器具１３の色のｘｙ座標Ｌ２が決定され、そのｘｙ座標Ｌ２が三角形ＰｒＰｇＰｂの領域内にある場合には、ｘｙ座標Ｌ２がそのまま決定される。一方、ｘｙ座標Ｌ２が三角形ＰｒＰｇＰｂの領域外にある場合には、直線Ｌ１Ｂの延長線と三角形ＰｒＰｇＰｂとの交点のｘｙ座標Ｌ２を、第２器具１３のｘｙ座標として決定する。その後、新たなｘｙ座標Ｌ２を用いて、Ｄ（Ｌ１Ｂ）×Ｐ１ａ＝Ｄ（Ｌ２Ｂ）×Ｐ２となるように出力Ｐ１ａを算出し、第１器具１２の出力Ｐ１を、算出された出力Ｐ１ａに低下させる。
【００３６】
上記の照明制御システム及びこの照明制御システムを構成するために用いられる照明装置によれば、図２に斜線部で示すように、２つのカラー照明器具１２，１３によりそれぞれの照明器具１２，１３の近くの領域が例えば赤紫色と黄色とに照射される。このとき、２つのカラー照明器具１２，１３の間の領域の色がグラデーションで変化する。さらに、図２に破線枠で示すように、空間の一部領域を白色化された白色照射領域３０に設定できる。白色照射領域３０は、室内を上から見た場合に、２つのカラー照明器具１２，１３の中点を通り、２つのカラー照明器具１２，１３を結ぶ直線に対し直交する方向に伸びる直線部（図２の一点鎖線α部分）に沿う帯状領域となる。この白色照射領域３０では、ユーザーが視作業をしやすくなる。白色照射領域３０において、室内を上から見た場合に、２つのカラー照明器具１２，１３の中点を結ぶ直線付近の色は、ベースライト１０の色温度に近い色となっている。このとき、ベースライト１０は、上から見た場合に、２つのカラー照明器具１２，１３から等距離にある図２の一点鎖線α上に位置させることが好ましい。これにより、２つのカラー照明器具１２，１３を利用する際に、それぞれの単体での色を楽しむ感性的観点と、視作業のしやすさを含む質的観点とから優れた空間を提供できる。
【００３７】
さらに、本例の構成によれば、ユーザーにより、白色照射領域３０の色温度として、ベースライト１０の色に近い色温度を容易に選択できる。室内における空間では、色のグラデーションの変化があるが、カラー照明器具１２，１３により、空間全体の平均としてベースライト１０に応じて好みの色に選択して設定できる。さらに、カラー照明器具１２，１３の色及び出力を、１つのカラー照明器具について設定することで、自動的に他のカラー照明器具についても設定されるので、カラー照明器具１２，１３の色及び出力を容易に設定できる。
【００３８】
図２では、２つのカラー照明器具１２，１３の出力が同じであることを、直径が同じ円により示している。これにより、２つのカラー照明器具１２，１３の中点を含む部分に白色された白色照射領域３０が形成される。また、各カラー照明器具１２，１３の出力が小さくなるほど２つのカラー照明器具１２，１３の照射領域の重なりが小さくなることで、白色照射領域３０の幅Ｗａは小さくなる。
【００３９】
図５は、実施形態の一例の照明制御システムを適用する室内の別例の斜視図であって、２つのカラー照明器具１２，１３により照射された色領域と、白色照射領域３０ａとの分布を示す図である。上記の図２の構成では、２つのカラー照明器具１２，１３が左右方向に互いに離間して配置され、２つのカラー照明器具１２，１３の高さ方向における位置が同じである場合を説明した。一方、本例の構成では、２つのカラー照明器具１２，１３が高さ方向に互いに離間して配置され、図５の左右方向における位置が同じとなっている。例えば、直立した固定部材１５が床面上に固定され、その固定部材１５の上端部と下端部とに２つのカラー照明器具１２，１３が固定される。これにより、照明装置１１ａが構成される。このような構成では、図５に斜線部で示すように、２つのカラー照明器具１２，１３によりそれぞれの照明器具１２，１３の近くの領域が赤紫色と黄色とに照射される。このとき、２つのカラー照明器具１２，１３の間の領域の色がグラデーションで変化する。さらに、図５に破線枠で示すように、空間の一部領域を白色化された白色照射領域３０ａに設定できる。白色照射領域３０ａにおいて、室内を水平方向に見た場合に、２つのカラー照明器具１２，１３の中点を結ぶ直線付近の色は、ベースライト１０（図１）の色温度に近い色となっている。これにより、この白色照射領域３０ａにおけるユーザーの視作業が行いやすくなる。その他の構成及び作用は、図１から図４Ｃの構成と同様である。
【００４０】
図６は、実施形態の一例の照明制御システムを適用する室内の平面図であって、２つのカラー照明器具１２，１３により照射された色領域と、白色照射領域３０ｂとの分布の別例を示す図である。本例の構成では、図１から図４Ｃの構成と異なり、室内を上から見た場合に、２つのカラー照明器具１２，１３の一方のカラー照明器具１２は、左右方向一方側（図２の右側）でテレビ４６から前側に大きく離れた位置に配置される。また、他方のカラー照明器具１３は、左右方向中央において、テレビ４６の後側に配置される。２つのカラー照明器具１２，１３は、２つの独立した固定部材１６，１７に固定される。
【００４１】
図６に示す構成では、図６に斜線部で示すように、一方のカラー照明器具１２の近くの領域が赤紫色に照射され、他方のカラー照明器具１３の近くの領域が黄色に照射される。このとき、２つのカラー照明器具１２，１３の間の領域の色がグラデーションで変化する。また、図６に破線枠で示すように、空間の一部領域であって、２つのカラー照明器具１２，１３の中点を含み、ローテーブル４０の左右方向側面に対し傾斜した帯状部分を白色照射領域３０ｂに設定できる。その他の構成及び作用は、図１から図４Ｃの構成と同様である。
【００４２】
図７は、実施形態の一例の照明制御システムを適用する室内の平面図であって、２つのカラー照明器具１２，１３により照射された色領域と、白色照射領域３０ｂとの分布の別例を示す図である。本例の構成では、図７に斜線部で示すように、一方のカラー照明器具１２の近くの領域が橙色に照射され、他方のカラー照明器具１３の近くの領域が緑色に照射される。このとき、２つのカラー照明器具１２，１３の間の領域の色がグラデーションで変化する。また、図７に破線枠で示すように、空間の一部領域であって、２つのカラー照明器具１２，１３の中点を含み、ローテーブル４０の左右方向側面に対し傾斜した帯状部分を白色照射領域３０ｂに設定できる。
【００４３】
図７の構成を実現するために、図３に破線枠βで示した部分のように２つのカラー照明器具１２，１３の色度及び出力を設定する。具体的には、ｘｙ色度図において、一方のカラー照明器具を第１器具１２に設定し、他方のカラー照明器具を第２器具１３に設定する。次いで、第１器具１２の発光色を橙色に相当する色度のｘｙ座標Ｌ１ａに設定し、第１器具１２の出力をＰ１ａに設定する。そして、ｘｙ色度図において、第１器具１２のｘｙ座標とベースライト１０のｘｙ座標Ｂとを結ぶ直線Ｌ１Ｂの延長線上で、三角形ＰｒＰｇＰｂの領域にあるｘｙ座標Ｌ２ａを第２器具１３のｘｙ座標として選択する。このとき、ｘｙ色度図において、ｘｙ座標Ｌ１ａとｘｙ座標Ｂとの距離であるＤ（Ｌ１ａＢ）に対し２倍の距離でｘｙ座標Ｂから離れたｘｙ座標を、ｘｙ座標Ｌ２ａとする。そして、第２器具１３の出力Ｐ２ａを、第１器具１２の出力Ｐ１ａの１／２である（Ｐ１ａ）／２に設定する。これにより、ｘｙ色度図において、ｘｙ座標Ｌ２ａとｘｙ座標Ｂとの距離Ｄ（Ｌ２ａＢ）、及び、ｘｙ座標Ｌ１ａとｘｙ座標Ｂとの距離Ｄ（Ｌ１ａＢ）との関係で、Ｄ（Ｌ１ａＢ）×Ｐ１ａ＝Ｄ（Ｌ２ａＢ）×Ｐ２ａが成立する。その他の構成及び作用は、図１から図４Ｃまたは図６の構成と同様である。
【００４４】
図８は、実施形態の別例の照明制御システムを適用する室内の平面図であって、３つのカラー照明器具１２，１３、１８により照射された色領域と、白色照射領域３１との分布を示す図である。図８では、３つのカラー照明器具１２，１３，１８が、室内を上から見た場合に互いに離間して配置される。このとき、３つのカラー照明器具１２，１３，１８の高さ方向における位置は、同じである。各カラー照明器具１２，１３，１８は、３色以上の光源を含んでいる。
【００４５】
図８では、図６の構成において、３つのカラー照明器具１２，１３，１８を第１器具、第２器具、及び第３器具とそれぞれ設定する。以下では、カラー照明器具１８を第３器具１８と記載する場合がある。室内を上から見た場合に、第１器具１２は、左右方向中央において、テレビ４６の後側に配置され、第２器具１３は、左右方向一方側（図８の右側）でテレビ４６から前側に大きく離れた位置に配置される。第３器具１８は、左右方向他方側（図８の左側）でテレビ４６から前側に大きく離れた位置に配置される。第１器具１２は固定部材１７に固定され、第２器具１３は固定部材１６に固定される。第３器具１８は、固定部材１９に固定される。第１器具１２と第３器具１８との距離は、第１器具１２と第２器具１３との距離よりも小さい。
【００４６】
第１器具１２、第２器具１３及び第３器具１８でのそれぞれの照射領域は、上から見た状態でそれぞれの器具を中心とする円状に広がっている。第１器具１２の発光色は緑色であり、第２器具１３の発光色は赤色であり、第３器具１８の発光色は、橙色である。上から見た状態で各器具１２，１３，１８の位置を結ぶ三角形の重心付近では、３つの器具１２，１３，１８の照射領域が交わっている。その照射領域の交わり部を含むように、上から見た状態で、破線の円で囲まれる領域に白色照射領域３１が配置される。白色照射領域３１は、上側から見た状態でローテーブル４０の一部を含んでいる。図８では、各器具１２，１３，１８の出力が同じである場合を示している。
【００４７】
制御装置２２（図１）は、入力部２０（図１）からの指示に応じて、３つの器具１２，１３，１８の出力強弱比を変動させるとともに、３つの器具１２，１３，１８の色度を決定することにより、空間の一部領域を白色化する。制御装置２２における光源出力変動部は、入力部２０からの入力に応じて、３つの器具１２，１３，１８のそれぞれの出力を決定する。これにより、３つの器具１２，１３，１８の出力強弱比を決定し、その出力強弱比に応じて３つの器具１２，１３，１８の出力強弱比を変動させる。また、光源色決定部は、入力部２０からの入力に応じて３つの器具１２，１３，１８のそれぞれの発光色を決定する。光源調色部は、決定された発光色で発光させるように各器具１２，１３，１８の調色を制御する。これにより、空間の一部が白色化された白色照射領域３１が形成される。
【００４８】
次に、制御装置２２によって、３つの器具１２，１３，１８の色度及び出力を決定する方法を説明する。この決定のために、図９に示すｘｙ色度図が用いられる。図９において、３つの器具１２，１３，１８で表現できる色領域は、三角形ＰｒＰｇＰｂの領域内である。以下、図１０Ａ〜図１０Ｇのフローチャートを用いてより３つの器具１２，１３，１８の色度及び出力を決定する方法を説明する。
【００４９】
図１０Ａは、３つのカラー照明器具１２，１３，１８の発光色の色度及び出力を決定する方法における第１処理を示すフローチャートである。図１０Ｂは、同じく第２処理を示すフローチャートであり、図１０Ｃは、同じく第３処理を示すフローチャートであり、図１０Ｄは、同じく第４処理を示すフローチャートである。図１０Ｅは、同じく第５処理を示すフローチャートであり、図１０Ｆは、同じく第６処理を示すフローチャートであり、図１０Ｇは、同じく第７処理を示すフローチャートである。以下の処理は制御装置２２により実行される。
【００５０】
図１０ＡのステップＳ５１からステップＳ５５の処理は、図４ＡのステップＳ１１からステップＳ１５の処理と同様である。ステップＳ５５の処理の後は、ステップＳ５６に進む。
【００５１】
ステップＳ５６では、ステップＳ５５で選択された器具が第１器具１２と設定される。次に、ステップＳ５７において、第１器具１２と他の器具である第２器具１３との距離ｄ１２と、第１器具１２と他の器具である第３器具１８との距離ｄ１３とが入力部２０により制御装置２２に入力されているか否かが判定される。距離ｄ１２及び距離ｄ１３が制御装置２２に入力されていると判定された場合（ステップＳ５７でＹＥＳの場合）には、図１０ＢのステップＳ５８に進む。距離ｄ１２及び距離ｄ１３が制御装置２２に入力されていないと判定された場合には、その判定処理が繰り返される。このとき、予め室内の家具及び器具１２，１３，１８等の配置が示された部屋の見取り図または撮影画像が制御装置２２に入力され、距離ｄ１２及び距離ｄ１３が算出可能である場合に、ステップＳ５８に進むようにしてもよい。
【００５２】
図１０ＢのステップＳ５８において、複数の器具１２，１３，１８の中で、第１器具１２との空間上における距離ｄ１ｎが最大となる器具を第２器具１３と設定する。ここで、ｎは２または３である。なお、第１器具１２、第２器具１３、及び第３器具１８の組み合わせは、任意に変更することができる。
【００５３】
次いで、ステップＳ５９において、第１器具１２の色が入力部２０により入力されて設定されたか否かが判定される。第１器具１２の色が設定されたと判定された場合（ステップＳ５９でＹＥＳの場合）には、ステップＳ６０に進む。ステップＳ５９で第１器具１２の色が設定されていないと判定された場合には、その判定処理が繰り返される。
【００５４】
ステップＳ６０において、第１器具１２の入力された色から、第１器具１２の色のｘｙ色度図におけるｘｙ座標Ｌ１（Ｌ１ｘ、Ｌ１ｙ）が算出される。図９では、ｘｙ色度図において、緑色の領域にあるように、第１器具１２のｘｙ座標Ｌ１が設定されている。
【００５５】
次に、ステップＳ６１において、第１器具１２の出力Ｐ１が入力部２０により入力されて設定されたか否かが判定される。第１器具１２の出力Ｐ１が設定されたと判定された場合（ステップＳ６２でＹＥＳの場合）には、ステップＳ６２に進む。ステップＳ６１で第１器具１２の出力Ｐ１が設定されていないと判定された場合には、その判定処理が繰り返される。ここで、第１器具１２の出力Ｐ１、後述の第２器具１３の出力Ｐ２、及び第３器具１８の出力Ｐ３は、それぞれＷ値、または光束ｌｍ等で表すことができる。
【００５６】
ステップＳ６２において、ｘｙ色度図において、第１器具１２のｘｙ座標Ｌ１とベースライト１０のｘｙ座標Ｂとを結ぶ直線Ｌ１Ｂの延長線上で、三角形ＰｒＰｇＰｂの領域にあるように、ｘｙ座標Ｌ２（Ｌ２ｘ、Ｌ２ｙ）が、第２器具１３のｘｙ座標として選択される。
【００５７】
ここで、もし直線Ｌ１Ｂの延長線上で、三角形ＰｒＰｇＰｂの領域外にｘｙ座標Ｌ２が位置する場合には、直線Ｌ１Ｂの延長線と三角形ＰｒＰｇＰｂとの交点のｘｙ座標Ｌ２を、第２器具１３のｘｙ座標として選択する。
【００５８】
次に、ステップＳ６３において、ｘｙ色度図において、色点間距離であるｘｙ座標Ｌ１とｘｙ座標Ｂとの距離Ｄ（Ｌ１Ｂ）、及び、ｘｙ座標Ｌ２とｘｙ座標Ｂとの距離Ｄ（Ｌ２Ｂ）が算出される。
【００５９】
次に、図１０ＣのステップＳ６４において、第２器具１３の出力Ｐ２が、Ｄ（Ｌ１Ｂ）×Ｐ１＝Ｄ（Ｌ２Ｂ）×Ｐ２の関係から算出された後、ステップＳ６５に進む。
【００６０】
ステップＳ６５において、算出した出力Ｐ２が、予め設定された第２器具１３の最大出力ｍａｘＰ２より大きいか否かが判定される。出力Ｐ２が最大出力ｍａｘＰ２より大きいと判定された場合（ステップＳ６５でＹＥＳの場合）には、ステップＳ６６において、最大出力ｍａｘＰ２が出力Ｐ２として設定される。
【００６１】
そして、第１器具１２の出力Ｐ１が、Ｄ（Ｌ１Ｂ）×Ｐ１＝Ｄ（Ｌ２Ｂ）×Ｐ２の関係から再算出され、その後、ステップＳ６８において、その出力Ｐ１で第１器具１２の出力が調整され、ステップＳ６９に進む。ステップＳ６５において、出力Ｐ２が最大出力ｍａｘＰ２以下であると判定された場合（ステップＳ６５でＮＯの場合）には、そのままステップＳ６９に進む。これにより、第１器具１２の出力Ｐ１と第２器具１３の出力Ｐ２とが決定され、第１器具１２の出力Ｐ１及び第２器具１３の出力Ｐ２の強弱比Ｐ１／Ｐ２も決定される。
【００６２】
次に、第３器具１８の色のｘｙ色度図でのｘｙ座標をＬ３（Ｌ３ｘ、Ｌ３ｙ）とする。また、色点間距離であるｘｙ座標Ｌ１とｘｙ座標Ｌ２との距離をＤ（Ｌ１Ｌ２）と設定し、ｘｙ座標Ｌ１とｘｙ座標Ｌ３との距離をＤ（Ｌ１Ｌ３）と設定する。そして、距離Ｄ（Ｌ１Ｌ２）と距離Ｄ（Ｌ１Ｌ３）との比を、比Ｄ（Ｌ１Ｌ２）／Ｄ（Ｌ１Ｌ３）とする。また、空間上の距離である第１器具１２と第２器具１３との距離ｄ１２、及び、第１器具１２と第３器具１８との距離ｄ１３の比を比ｄ１２／ｄ１３とする。そして、比Ｄ（Ｌ１Ｌ２）／Ｄ（Ｌ１Ｌ３）が比ｄ１２／ｄ１３と一致するように、ｘｙ座標Ｌ３が設定される。
【００６３】
次に、ステップＳ７０及びステップＳ７１において、比ｄ１２／ｄ１３が０．５より小さい場合、比ｄ１２／ｄ１３が０．５である場合、及び比ｄ１２／ｄ１３が０．５より大きい場合の３つの場合で処理を分ける。
【００６４】
具体的には、ステップＳ７０において、比ｄ１２／ｄ１３が０．５より小さいか否かが判定される。比ｄ１２／ｄ１３が０．５より小さい場合には、第３器具１８は、第１器具１２及び第２器具１３のうち、第１器具１２に近い。この場合には、図１０ＤのステップＳ７２以降の処理に進む。
【００６５】
一方、ステップＳ７０において、比ｄ１２／ｄ１３が０．５以上であると判定された場合には、ステップＳ７１において、比ｄ１２／ｄ１３が０．５であるか否かが判定される。ステップＳ７１において、比ｄ１２／ｄ１３が０．５であると判定された場合には、第３器具１８が第１器具１２及び第２器具１３の両方から等距離にある。この場合には、図１０ＥのステップＳ８２以降の処理に進む。
【００６６】
ステップＳ７１において、比ｄ１２／ｄ１３が０．５より大きい場合には、第３器具１８は、第１器具１２及び第２器具１３のうち、第２器具１３に近い。この場合には、図１０ＦのステップＳ９０以降の処理に進む。本例では、ｘｙ色度図において、第１器具１２、第２器具１３及び第３器具１８の色のｘｙ座標が直線上に位置している。図９では、第３器具１８の色のｘｙ座標Ｌ３が、第２器具１３の色のｘｙ座標Ｌ２に近い場合を示している。
【００６７】
次に、ステップＳ７０において、比ｄ１２／ｄ１３が０．５より小さいと判定された場合を説明する。この場合には、図１０ＤのステップＳ７２において、係数γを用いて、第１器具１２の出力Ｐ１ａが、Ｐ１ａ＝γＰ１から算出される。このとき、係数γは、０＜γ＜１の範囲で任意に設定される。
【００６８】
次に、ステップＳ７３において、ｘｙ色度図におけるｘｙ座標Ｌ３とｘｙ座標Ｂとの距離Ｄ（Ｌ３Ｂ）が算出され、第３器具１８の出力Ｐ３が、Ｄ（Ｌ１Ｂ）×Ｐ１ａ＋Ｄ（Ｌ３Ｂ）×Ｐ３＝Ｄ（Ｌ２Ｂ）×Ｐ２の関係から算出され、ステップＳ７４に進む。
【００６９】
ステップＳ７４において、第１器具１２の色がｘｙ座標Ｌ１、出力Ｐ１ａで調整され、第３器具１８の色がｘｙ座標Ｌ３、出力Ｐ３で調整される。
【００７０】
次に、ステップＳ７５において、入力部２０の入力、または制御装置２２の設定から、室内でベースライト１０と同じ色になる、すなわち白色照射領域３１（図８）となる位置が、第１器具１２と第２器具１３との中点でよいか否かが判定される。室内でベースライト１０と同じ色になる位置が、第１器具１２と第２器具１３との中点となる場合には、第１器具１２及び第２器具１３の距離ｄ１２の１／２に、第３器具１８が位置する。
【００７１】
室内でベースライト１０と同じ色になる位置が、第１器具１２と第２器具１３との中点でよいと判定された場合には、図１０ＧのステップＳ１００に進む。ステップＳ１００では、第１器具１２、第２器具１３及び第３器具１８の色のｘｙ座標Ｌ１、Ｌ２、Ｌ３と、出力Ｐ１、Ｐ２、Ｐ３と、ベースライト１０の色温度が制御装置２２の記憶部に記憶される。そして、ステップＳ１０１で第１器具１２、第２器具１３及び第３器具１８がＯＦＦされたと判定され、ステップＳ１０２でベースライト１０がＯＦＦされたと判定された場合には処理が終了する。一方、それ以外の場合には、ステップＳ１０１、ステップＳ１０２でのそれぞれの判定処理が繰り返されるので、その状態が維持される。
【００７２】
一方、図１０ＤのステップＳ７５において、室内でベースライト１０と同じ色になる位置が、第１器具１２と第２器具１３との中点ではよくないと判定された場合には、図１０ＤのステップＳ７６に進む。ステップＳ７６では、室内を上から見た場合に、空間上での第１器具１２とベースライト１０との距離ｄ１Ｂ、及び、第１器具１２と第２器具１３との距離ｄ１２の比をｕと設定する。そして、比ｕが予め設定された下限値ｕｍｉｎ以上で、予め設定された上限値ｕｍａｘ以下の範囲にある、すなわち、設定可能な範囲か否かが判定される。ステップＳ７５において、比ｕが設定可能な範囲にあると判定された場合（ステップＳ７６でＹＥＳの場合）には、ステップＳ８０に進む。例えば、下限値ｕｍｉｎは０．２５であり、上限値ｕｍａｘは０．７５である。
【００７３】
ステップＳ７６において、比ｕが設定可能な範囲にないと判定された場合（ステップＳ７６でＮＯの場合）には、ステップＳ７７に進む。ステップＳ７７で、比ｕが下限値ｕｍｉｎより小さい場合（ステップＳ７７でＹＥＳの場合）には、ステップＳ７８で下限値ｕｍｉｎを比ｕに設定し、ステップＳ８０に進む。
【００７４】
ステップＳ７７において、比ｕが下限値ｕｍｉｎ以上である、すなわち、比ｕが上限値ｕｍａｘを上回る場合（ステップＳ７７でＮＯの場合）には、ステップＳ７９で上限値ｕｍａｘを比ｕに設定し、ステップＳ８０に進む。
【００７５】
ステップＳ８０では、第１器具１２の出力Ｐ１を、ｕ×Ｐ１ａ／γで算出し、第２器具１３の出力Ｐ２を、（１−ｕ）×Ｐ２／γで算出する。これとともに、第３器具１８の出力Ｐ３を、ｕ×Ｐ３／γで算出する。これにより、室内でベースライト１０と同じ色になる位置が、第１器具１２と第２器具１３との中点でないように設定される。
【００７６】
次に、ステップＳ８１において、第１器具１２、第２器具１３及び第３器具１８の出力が、算出した出力Ｐ１、Ｐ２、Ｐ３にそれぞれ変更された後、図１０ＧのステップＳ１００に進み、ステップＳ１００からステップＳ１０２の処理が行われる。
【００７７】
次に、図１０ＣのステップＳ７１において、比ｄ１２／ｄ１３が０．５であると判定された場合を説明する。この場合には、図１０ＥのステップＳ８２において、ｘｙ色度図におけるｘｙ座標Ｌ３が、ベースライト１０の色のｘｙ座標Ｂと同じ位置にある。このため、第３器具１８の出力は任意に設定できる。図１０Ｃの例では、ステップＳ８２において、第３器具１８の出力を第２器具１３の出力と同じ出力Ｐ２で調整する。なお、第３器具１８の出力は、出力Ｐ２以外としてもよい。
【００７８】
次に、ステップＳ８３において、入力部２０の入力、または制御装置２２の設定から、室内でベースライト１０と同じ色になる、すなわち白色照射領域３１となる位置が、第１器具１２と第２器具１３との中点でよいか否かが判定される。
【００７９】
室内でベースライト１０と同じ色になる位置が、第１器具１２と第２器具１３との中点でよいと判定された場合には、図１０ＧのステップＳ１００に進み、ステップＳ１００からステップＳ１０２の処理が行われる。
【００８０】
図１０ＥのステップＳ８３において、室内でベースライト１０と同じ色になる位置が、第１器具１２と第２器具１３との中点ではよくないと判定された場合には、ステップＳ８４に進む。ステップＳ８４では、上記の図１０ＤのステップＳ７６で説明した比ｕが、予め設定された下限値ｕｍｉｎ以上で、予め設定された上限値ｕｍａｘ以下の範囲にある、すなわち、設定可能な範囲か否かが判定される。ステップＳ８４において、比ｕが設定可能な範囲にあると判定された場合（ステップＳ８４でＹＥＳの場合）には、ステップＳ８８に進む。
【００８１】
ステップＳ８４において、比ｕが設定可能な範囲にないと判定された場合（ステップＳ８４でＮＯの場合）には、ステップＳ８５に進む。ステップＳ８５で、比ｕが下限値ｕｍｉｎより小さい場合（ステップＳ８５でＹＥＳの場合）には、ステップＳ８６で下限値ｕｍｉｎを比ｕに設定し、ステップＳ８８に進む。
【００８２】
ステップＳ８５において、比ｕが下限値ｕｍｉｎ以上である、すなわち、比ｕが上限値ｕｍａｘを上回る場合（ステップＳ８５でＮＯの場合）には、ステップＳ８７で上限値ｕｍａｘを比ｕに設定し、ステップＳ８８に進む。
【００８３】
ステップＳ８８では、第１器具１２の出力Ｐ１を、ｕ×Ｐ１／０．５で算出し、第２器具１３の出力Ｐ２ａを、（１−ｕ）×Ｐ２／０．５で算出する。これにより、室内でベースライト１０と同じ色になる位置が、第１器具１２と第２器具１３との中点でないように設定される。
【００８４】
次に、ステップＳ８９において、第１器具１２及び第２器具１３の出力が、算出した出力Ｐ１、Ｐ２ａにそれぞれ変更された後、図１０ＧのステップＳ１００に進み、ステップＳ１００からステップＳ１０２の処理が行われる。
【００８５】
次に、図１０ＣのステップＳ７１において、比ｄ１２／ｄ１３が０．５ではない、すなわち比ｄ１２／ｄ１３が０．５より大きいと判定された場合を説明する。この場合には、図１０ＦのステップＳ９０において、係数γを用いて、第２器具１３の出力Ｐ２ａが、Ｐ２ａ＝γＰ２から算出される。このとき、係数γは、０＜γ＜１の範囲で任意に設定される。
【００８６】
次に、ステップＳ９１において、ｘｙ色度図におけるｘｙ座標Ｌ３とｘｙ座標Ｂとの距離Ｄ（Ｌ３Ｂ）が算出され、第３器具１８の出力Ｐ３が、Ｄ（Ｌ１Ｂ）×Ｐ１＝Ｄ（Ｌ２Ｂ）×Ｐ２ａ＋Ｄ（Ｌ３Ｂ）×Ｐ３の関係から算出され、ステップＳ９２に進む。
【００８７】
ステップＳ９２において、第２器具１３の色がｘｙ座標Ｌ２、出力Ｐ２ａで調整され、第３器具１８の色がｘｙ座標Ｌ３、出力Ｐ３で調整される。
【００８８】
次に、ステップＳ９３において、入力部２０の入力、または制御装置２２の設定から、室内でベースライト１０と同じ色になる、すなわち白色照射領域３１となる位置が、第１器具１２と第２器具１３との中点でよいか否かが判定される。
【００８９】
室内でベースライト１０と同じ色になる位置が、第１器具１２と第２器具１３との中点でよいと判定された場合には、図１０ＧのステップＳ１００に進み、ステップＳ１００からステップＳ１０２の処理が行われる。
【００９０】
一方、図１０ＦのステップＳ９３において、室内でベースライト１０と同じ色になる位置が、第１器具１２と第２器具１３との中点ではよくないと判定された場合には、ステップＳ９４に進む。ステップＳ９４では、上記の図１０ＤのステップＳ７６で説明した比ｕが、予め設定された下限値ｕｍｉｎ以上で、予め設定された上限値ｕｍａｘ以下の範囲にある、すなわち、設定可能な範囲か否かが判定される。ステップＳ９４において、比ｕが設定可能な範囲にあると判定された場合（ステップＳ９４でＹＥＳの場合）には、ステップＳ９８に進む。
【００９１】
ステップＳ９４において、比ｕが設定可能な範囲にないと判定された場合（ステップＳ９４でＮＯの場合）には、ステップＳ９５に進む。ステップＳ９５で、比ｕが下限値ｕｍｉｎより小さい場合（ステップＳ９５でＹＥＳの場合）には、ステップＳ９６で下限値ｕｍｉｎを比ｕに設定し、ステップＳ９８に進む。
【００９２】
ステップＳ９５において、比ｕが下限値ｕｍｉｎ以上である、すなわち、比ｕが上限値ｕｍａｘを上回る場合（ステップＳ９５でＮＯの場合）には、ステップＳ９７で上限値ｕｍａｘを比ｕに設定し、ステップＳ９８に進む。
【００９３】
ステップＳ９８では、第１器具１２の出力Ｐ１を、ｕ×Ｐ１／γで算出し、第２器具１３の出力Ｐ２を、（１−ｕ）×Ｐ２ａ／γで算出する。これとともに、第３器具１８の出力Ｐ３を、（１−ｕ）×Ｐ３／γで算出する。これにより、室内でベースライト１０と同じ色になる位置が、第１器具１２と第２器具１３との中点でないように設定される。
【００９４】
次に、ステップＳ９９において、第１器具１２、第２器具１３及び第３器具１８の出力が、算出した出力Ｐ１、Ｐ２、Ｐ３にそれぞれ変更された後、図１０ＧのステップＳ１００に進み、ステップＳ１００からステップＳ１０２の処理が行われる。
【００９５】
本例の構成によれば、図８に斜線部または砂地部で示すように、３つのカラー照明器具１２，１３，１８によりそれぞれの照明器具１２，１３，１８の近くの領域が例えば緑色と赤色と橙色とに照射される。このとき、３つのカラー照明器具１２，１３，１８の間の領域の色がグラデーションで変化する。さらに、図８に破線の円で示すように、空間の一部領域を白色化された白色照射領域３１に設定できる。白色照射領域３１の中心付近では、ベースライト１０の色温度に近い色となっている。これにより、３つのカラー照明器具１２，１３，１８を利用する際に、それぞれの単体での色を楽しむ感性的観点と、視作業のしやすさを含む質的観点とから優れた空間を提供できる。その他の構成及び作用は、図１から図４Ｃの構成と同様である。
【００９６】
上記の各例では、制御装置２２により白色化する白色照射領域が予め設定される場合を説明したが、制御部により白色化する領域は、入力部２０によりユーザーが選択可能とすることもできる。
【００９７】
図１１は、実施形態の別例の照明制御システムを適用する室内の平面図であって、２つのカラー照明器具１２，１３がある場合における白色照射領域の複数の候補領域３２，３３，３４を示している図である。図１１の構成は、図６で示した構成において、入力部２０（図１）により３つの破線枠で示す候補領域３２，３３，３４の中から制御装置２２（図１）により白色化する領域を選択可能としている。例えば、入力部２０は、スマートフォン等のタッチパネルの表示部を有する携帯端末として、表示部は、図１１に示すように室内の見取り図と白色照射指示領域とを表示可能としている。この見取り図では、ローテーブル４０等の家具の配置と２つのカラー照明器具１２，１３と白色照射指示領域に対する３つの候補領域３２，３３，３４とを表示させる。各候補領域３２，３３，３４は帯状に表示される。そして、入力部２０は、ユーザーにより指でタッチされ、選択された候補領域を白色照射指示領域として表示させるとともに、その選択された候補領域を制御装置２２に入力する。これにより、入力部２０は、ユーザーの操作に応じて制御装置２２に白色化する白色照射指示領域を入力する。このとき、選択された候補領域のみを表示部に表示させ、残りの候補領域を表示部に表示させないようにしてもよい。これとともに、制御装置２２は、１つのカラー照明器具の色を、入力部２０により入力された色に調色するとともに、入力部２０により入力された色と入力された白色照射指示領域とに基づいて、残りのカラー照明器具の他の色を決定してもよい。また、表示部は、入力部２０とは別部材として、入力部２０に接続される構成としてもよい。
【００９８】
図１２は、実施形態の別例の照明制御システムを適用する室内の平面図であって、２つのカラー照明器具１２，１３がある場合における白色照射領域３０ｂの調節可能な範囲を示している図である。図１２の構成は、図６または図１１で示した構成において、入力部２０（図１）により白色照射領域３０ｂの幅を指定可能としている。例えばユーザーがタッチパネルの表示部で２本の指でタッチしながら指の間隔を変えることで、この幅を変更可能とすることができる。また、ユーザーがタッチパネルの表示部で１本の指でタッチしながら指を移動させることで、白色照射指示領域の位置を移動可能な構成としてもよい。例えば、２つのカラー照明器具１２，１３の出力強弱比を変動させることにより、白色照射領域３０ｂを、２つのカラー照明器具１２，１３の間の中央からいずれかのカラー照明器具に近い側に移動させる構成としてもよい。これにより、ユーザーが視作業を行う場所に応じて白色照射領域を容易に移動させることができる。
【００９９】
図１３は、実施形態の別例の照明制御システムを適用する室内の平面図であって、３つのカラー照明器具１２，１３，１８がある場合における白色照射領域の複数の候補領域３４，３５，３６，３７，３８を示している図である。図１３の構成は、図１１の構成とは異なり、３つのカラー照明器具１２，１３，１８を室内に配置した場合に、一点鎖線の円で示す５つの候補領域３４，３５，３６，３７，３８を表示部に表示させる。そして、入力部２０（図１）は、ユーザーにより指でタッチされ、選択された候補領域を白色照射指示領域として表示させるとともに、その選択された候補領域を制御装置２２（図１）に入力する。このとき、選択された候補領域のみを表示させ、残りの候補領域を表示部に表示させないようにしてもよい。また、入力部２０において、白色照射指示領域の大きさを調節可能としてもよい。その他の構成及び作用は、図８から図１０Ｇの構成、または図１１の構成と同様である。
【０１００】
なお、上記の各例の構成において、白色照射領域の色は、少なくとも黒体軌跡上に存在する色に基づいて入力部等により指定可能としてもよい。このとき、白色照射領域の色は、予め定められた所定照射領域に存在するベースライト１０の色温度に基づいて自動で指定されてもよい。また、入力部２０は、カラー照明器具の色と白色照射指示領域とを制御装置２２に入力する構成に限定せず、ユーザーの操作に応じてカラー照明器具の色と白色照射指示領域とのうち、白色照射指示領域のみを制御装置２２に入力する構成としてもよい。制御装置２２は、入力部２０による入力に基づいて例えば２つ、または３つのカラー光源の出力強弱比を変動させ、入力部２０により入力された白色照射指示領域を白色化する。
【０１０１】
また、上記の各例の構成では、カラー照明器具が２つ、または３つの場合を説明したが、本開示の構成はこれに限定せず、カラー照明器具を４つ以上の任意の数としてもよい。また、上記の各例では、カラー照明器具がフルカラー発光を可能なＬＥＤ照明装置である場合を説明したが、３色以上の光源を含むフルカラー発光を可能な構成であれば、ＬＥＤ照明装置以外の照明装置としてもよい。
【０１０２】
また、上記の各例の構成では、制御装置２２に入力部２０が接続される場合を説明したが、白色照射指示領域が予め制御部に設定されていれば、入力部を省略することもできる。
【符号の説明】
【０１０３】
１０  ベースライト、１１，１１ａ  照明装置、１２  カラー照明器具（第１器具）、１３  カラー照明器具（第２器具）、１４，１５，１６，１７  固定部材、１８  カラー照明器具（第３器具）、１９  固定部材、２０  入力部、２２  制御装置、２３  光源出力変動部、２４  光源色決定部、２５  光源調色部、３０，３０ａ，３０ｂ，３１  白色照射領域、３２，３３，３４，３５，３６，３７，３８，３９  候補領域、４０  ローテーブル、４２  オーディオ機器ボード、４４  ソファ、４６  テレビ。
【図１】
2019079749.tif 000003
【図２】
2019079749.tif 000004
【図３】
2019079749.tif 000005
【図４Ａ】
2019079749.tif 000006
【図４Ｂ】
2019079749.tif 000007
【図４Ｃ】
2019079749.tif 000008
【図５】
2019079749.tif 000009
【図６】
2019079749.tif 000010
【図７】
2019079749.tif 000011
【図８】
2019079749.tif 000012
【図９】
2019079749.tif 000013
【図１０Ａ】
2019079749.tif 000014
【図１０Ｂ】
2019079749.tif 000015
【図１０Ｃ】
2019079749.tif 000016
【図１０Ｄ】
2019079749.tif 000017
【図１０Ｅ】
2019079749.tif 000018
【図１０Ｆ】
2019079749.tif 000019
【図１０Ｇ】
2019079749.tif 000020
【図１１】
2019079749.tif 000021
【図１２】
2019079749.tif 000022
【図１３】
2019079749.tif 000023